(57)【要約】  ＥＣＵは、予め準備されるマップ等を用いて、蓄電装置から放電可能な電力を示す放電許容電力（Ｗｏｕｔ）を算出する（Ｓ１０）。そして、走行モードがＣＤモードであって、かつ、エンジンが停止しているとき（Ｓ２０にてＹＥＳ）、ＥＣＵは、放電許容電力（Ｗｏｕｔ）を予め定められた値に拡大する（Ｓ３０）。また、走行モードがＣＳモードであり、または、エンジンが動作していても（Ｓ２０にてＮＯ）、エンジンの排気管に設けられた触媒装置の暖機中のときは（Ｓ２５にてＹＥＳ）、ＥＣＵは、放電許容電力（Ｗｏｕｔ）を拡大する（Ｓ３０）。
2011125186.tif 000002
【特許請求の範囲】
【請求項１】
ハイブリッド車両の制御装置であって、
前記ハイブリッド車両（１００）は、
車両駆動力を発生する内燃機関（ＥＮＧ）と、
充放電可能な蓄電装置（１０）と、
前記蓄電装置から電力の供給を受けて車両駆動力を発生する電動機（ＭＧ２）と、
前記内燃機関の排出ガスを触媒により浄化する触媒装置（１０９）とを含み、
前記制御装置（１５）は、
前記内燃機関を停止して前記電動機のみを用いての走行を優先させる第１のモード（ＣＤモード）と、前記内燃機関を動作させて前記蓄電装置の充電状態を示す状態量（ＳＯＣ）を所定の目標に維持する第２のモード（ＣＳモード）とを含む走行モードの切替を制御する走行モード制御部（１５２）と、
前記走行モード、前記内燃機関の動作／停止および前記触媒装置の暖機中か否かに基づいて、前記蓄電装置が放電可能な電力を示す放電許容電力（Ｗｏｕｔ）を変更する放電許容電力制御部（１５４）とを備える、ハイブリッド車両の制御装置。
【請求項２】
前記走行モードが前記第１のモードであり、かつ、前記内燃機関が停止しているとき、前記放電許容電力制御部は、前記走行モードが前記第１のモードであり、かつ、前記内燃機関が動作しているとき、または、前記走行モードが前記第２のモードのときよりも前記放電許容電力を拡大し、さらに、
前記走行モードが前記第１のモードであり、かつ、前記内燃機関が動作しているとき、または、前記走行モードが前記第２のモードのときであっても、前記触媒装置の暖機中のときは、前記放電許容電力制御部は、前記走行モードが前記第１のモードであり、かつ、前記内燃機関が停止しているときと同様に前記放電許容電力を拡大する、請求の範囲１に記載のハイブリッド車両の制御装置。
【請求項３】
前記走行モードが前記第１のモードであり、かつ、前記内燃機関が停止しているとき、前記放電許容電力制御部は、前記走行モードが前記第１のモードであり、かつ、前記内燃機関が動作しているとき、または、前記走行モードが前記第２のモードのときよりも前記放電許容電力を拡大し、
前記走行モードが前記第１のモードのときに前記内燃機関の始動が要求されると、前記放電許容電力の拡大を維持しつつ前記触媒装置の暖機が開始され、
前記触媒装置の暖機終了後、前記放電許容電力制御部は、前記放電許容電力を非拡大状態に復帰させる、請求の範囲１に記載のハイブリッド車両の制御装置。
【請求項４】
前記走行モードが前記第１のモードであり、かつ、前記内燃機関が停止しているとき、前記放電許容電力制御部は、前記走行モードが前記第１のモードであり、かつ、前記内燃機関が動作しているとき、または、前記走行モードが前記第２のモードのときよりも前記放電許容電力を拡大し、
前記第１のモードから前記第２のモードへの切替時、前記放電許容電力の拡大を維持しつつ前記触媒装置の暖機が開始され、
前記触媒装置の暖機終了後、前記放電許容電力制御部は、前記放電許容電力を非拡大状態に復帰させる、請求の範囲１に記載のハイブリッド車両の制御装置。
【請求項５】
前記ハイブリッド車両は、車両外部の電源から電力の供給を受けて前記蓄電装置を充電するように構成された充電装置（９０，９２）をさらに含み、
前記走行モード制御部は、前記充電装置による前記蓄電装置の充電後、前記走行モードを前記第１のモードに設定する、請求の範囲２から４のいずれかに記載のハイブリッド車両の制御装置。
【請求項６】
請求の範囲１から４のいずれかに記載の制御装置を備えるハイブリッド車両。
【発明の詳細な説明】
【技術分野】
【０００１】
この発明は、ハイブリッド車両の制御装置およびそれを備えるハイブリッド車両に関し、特に、内燃機関および電動機を動力源として搭載するハイブリッド車両の制御装置およびそれを備えるハイブリッド車両に関する。
【背景技術】
【０００２】
環境に配慮した車両としてハイブリッド車両（Hybrid  Vehicle）が注目されている。ハイブリッド車両は、従来の内燃機関に加え、蓄電装置とインバータとインバータによって駆動される電動機とを車両走行用の動力源として搭載する。【０００３】
このようなハイブリッド車両においても、内燃機関を搭載している以上、従来の内燃機関のみを動力源とする車両と同様に、内燃機関の排出ガスを浄化する触媒装置が設けられる。一般的に、触媒装置は、内燃機関の排出ガスにより触媒温度が高められて触媒が活性化した時点で排出ガス中の規制対象成分を十分に浄化可能となる。すなわち、触媒装置は、その使用前に暖機される必要がある。【０００４】
特開２００８−１６３８６７号公報（特許文献１）は、ハイブリッド車両において、触媒装置の暖機中に排出される規制対象成分を改善可能な手法を開示する。このハイブリッド車両においては、触媒装置が暖機中であると判断されると、複数の走行モードの１つであるパワーモードによる走行が禁止される。これにより、内燃機関からの排出ガスの増加が抑制されるので、触媒装置の触媒により十分に処理されずに排出される規制対象成分を改善することができる（特許文献１参照）。
【先行技術文献】
【特許文献】
【０００５】
【特許文献１】特開２００８−１６３８６７号公報
【発明の概要】
【発明が解決しようとする課題】
【０００６】
ハイブリッド車両については、できる限り内燃機関を停止させての走行が望まれている。近年、車両外部の電源から車載の蓄電装置を充電可能な、いわゆるプラグイン・ハイブリッド車が注目されているが、プラグイン・ハイブリッド車に対しては、そのような要求が特に強い（なお、以下では、内燃機関を停止して電動機のみを用いての走行を「ＥＶ（Electric  Vehicle）走行」と称し、これに対して、内燃機関を動作させての走行を「ＨＶ（Hybrid  Vehicle）走行」と称する。）。【０００７】
そこで、内燃機関が始動する頻度を抑制することによってＥＶ走行感を高めるために、ＥＶ走行を優先させる第１のモード（以下「ＣＤ（Charge  Depleting）モード」と称する。）と、内燃機関を動作させて蓄電装置のＳＯＣ（State  Of  Charge）を所定の目標に維持する第２のモード（以下「ＣＳ（Charge  Sustaining）モード」と称する。）とを含む走行モードおよび内燃機関の動作／停止に基づいて、蓄電装置が放電可能な電力（以下「放電許容電力Ｗｏｕｔ」と称する。）を変更することができる。具体的には、走行モードがＣＤモードであり、かつ、内燃機関が停止している場合に、走行モードがＣＤモードであり、かつ、内燃機関が動作しているとき、または、走行モードがＣＳのときよりも放電許容電力Ｗｏｕｔを拡大することによって、内燃機関が始動する頻度を抑制してＥＶ走行感を高めることができる。【０００８】
しかしながら、走行モードがＣＤモードであり、かつ、内燃機関が停止しているとき、すなわち、放電許容電力Ｗｏｕｔが拡大されているときに、ＨＶ走行に備えて触媒装置の暖機が開始されると、触媒装置の暖機のために内燃機関が始動することによって放電許容電力Ｗｏｕｔが非拡大状態に復帰する。このとき、車両要求パワーが放電許容電力Ｗｏｕｔ（非拡大状態）よりも大きいと、触媒装置の暖機が中断され、触媒装置が暖機されていない状態でＨＶ走行が開始されてしまうという問題が発生する。【０００９】
それゆえに、この発明の目的は、ハイブリッド車両において、ＥＶ走行を拡大し、かつ、触媒装置の暖機が中断されるのを防止することである。
【課題を解決するための手段】
【００１０】
この発明によれば、ハイブリッド車両の制御装置は、走行モード制御部と、放電許容電力制御部とを備える。ハイブリッド車両は、車両駆動力を発生する内燃機関と、充放電可能な蓄電装置と、蓄電装置から電力の供給を受けて車両駆動力を発生する電動機と、内燃機関の排出ガスを触媒により浄化する触媒装置とを含む。そして、走行モード制御部は、内燃機関を停止して電動機のみを用いての走行を優先させるＣＤモードと、内燃機関を動作させて蓄電装置の充電状態を示す状態量を所定の目標に維持するＣＳモードとを含む走行モードの切替を制御する。放電許容電力制御部は、走行モード、内燃機関の動作／停止および触媒装置の暖機中か否かに基づいて放電許容電力Ｗｏｕｔを変更する。【００１１】
好ましくは、走行モードがＣＤモードであり、かつ、内燃機関が停止しているとき、放電許容電力制御部は、走行モードがＣＤモードであり、かつ、内燃機関が動作しているとき、または、走行モードがＣＳモードのときよりも放電許容電力Ｗｏｕｔを拡大する。さらに、走行モードがＣＤモードであり、かつ、内燃機関が動作しているとき、または、走行モードがＣＳモードのときであっても、触媒装置の暖機中のときは、放電許容電力制御部は、走行モードがＣＤモードであり、かつ、内燃機関が停止しているときと同様に放電許容電力Ｗｏｕｔを拡大する。【００１２】
また、好ましくは、走行モードがＣＤモードであり、かつ、内燃機関が停止しているとき、放電許容電力制御部は、走行モードがＣＤモードであり、かつ、内燃機関が動作しているとき、または、走行モードがＣＳモードのときよりも放電許容電力Ｗｏｕｔを拡大する。走行モードがＣＤモードのときに内燃機関の始動が要求されると、放電許容電力Ｗｏｕｔの拡大を維持しつつ触媒装置の暖機が開始される。触媒装置の暖機終了後、放電許容電力制御部は、放電許容電力Ｗｏｕｔを非拡大状態に復帰させる。【００１３】
また、好ましくは、走行モードがＣＤモードであり、かつ、内燃機関が停止しているとき、放電許容電力制御部は、走行モードがＣＤモードであり、かつ、内燃機関が動作しているとき、または、走行モードがＣＳモードのときよりも放電許容電力Ｗｏｕｔを拡大する。ＣＤモードからＣＳモードへの切替時、放電許容電力Ｗｏｕｔの拡大を維持しつつ触媒装置の暖機が開始される。触媒装置の暖機終了後、放電許容電力制御部は、放電許容電力Ｗｏｕｔを非拡大状態に復帰させる。【００１４】
好ましくは、ハイブリッド車両は、車両外部の電源から電力の供給を受けて蓄電装置を充電するように構成された充電装置をさらに含む。そして、走行モード制御部は、充電装置による蓄電装置の充電後、走行モードをＣＤモードに設定する。【００１５】
また、この発明によれば、ハイブリッド車両は、上述したいずれかの制御装置を備える。
【発明の効果】
【００１６】
この発明においては、走行モード、内燃機関の動作／停止および触媒装置の暖機中か否かに基づいて放電許容電力Ｗｏｕｔが変更される。これにより、走行モードがＣＤモードであり、かつ、内燃機関が停止している場合に、走行モードがＣＤモードであり、かつ、内燃機関が動作しているとき、または、走行モードがＣＳモードのときよりも放電許容電力Ｗｏｕｔを拡大することができる。また、走行モードがＣＤモードであり、かつ、内燃機関が動作しているとき、または、走行モードがＣＳモードのときであっても、触媒装置の暖機中のときは、走行モードがＣＤモードであり、かつ、内燃機関が停止しているときと同様に放電許容電力Ｗｏｕｔを拡大することができるので、放電許容電力Ｗｏｕｔが非拡大状態に復帰することによって触媒装置の暖機が中断されることがない。したがって、この発明によれば、ＥＶ走行を拡大し、かつ、触媒装置の暖機が中断されるのを防止することが可能となる。
【図面の簡単な説明】
【００１７】
【図１】この発明の実施の形態による制御装置が適用されるハイブリッド車両の全体構成を示すブロック図である。
【図２】図１に示すハイブリッド車両の電気システムの構成を示すブロック図である。
【図３】図２に示すＥＣＵの機能ブロック図である。
【図４】蓄電装置のＳＯＣの変化と走行モードとの関係を示した図である。
【図５】蓄電装置の放電許容電力を示した図である。
【図６】走行モードおよびエンジンの動作／停止に応じた放電許容電力の拡大／非拡大を説明するための図である。
【図７】触媒装置の暖機中における放電許容電力を説明するための図である。
【図８】エンジンの停止判定に用いられる放電許容電力を示した図である。
【図９】放電許容電力の制御に関する一連の処理手順を説明するためのフローチャートである。
【図１０】触媒装置の暖機制御に関する処理手順を説明するためのフローチャートである。
【図１１】ＣＤモード時にエンジンが始動するときの放電許容電力の変化を示した図である。
【図１２】走行モードがＣＤモードからＣＳモードに切替わるときの放電許容電力の変化を示した図である。
【発明を実施するための形態】
【００１８】
以下、本発明の実施の形態について、図面を参照しながら詳細に説明する。なお、図中同一または相当部分には同一符号を付してその説明は繰返さない。
【００１９】
図１は、この発明の実施の形態による制御装置が適用されるハイブリッド車両の全体構成を示すブロック図である。図１を参照して、ハイブリッド車両１００は、蓄電装置１０と、ＥＣＵ（Electronic  Control  Unit）１５と、ＰＣＵ（Power  Control  Unit）２０と、動力出力装置３０と、ディファレンシャルギヤ（以下「ＤＧ（Differential  Gear）」とも称する。）４０とを備える。また、ハイブリッド車両１００は、前輪５０Ｌ，５０Ｒと、後輪６０Ｌ，６０Ｒと、フロントシート７０Ｌ，７０Ｒと、リアシート８０と、充電インレット９０と、充電器９２とをさらに備える。
【００２０】
蓄電装置１０は、再充電可能な直流電源であり、たとえば、ニッケル水素やリチウムイオン等の二次電池から成る。蓄電装置１０は、たとえばリアシート８０の後方部に配置され、ＰＣＵ２０と電気的に接続されてＰＣＵ２０へ直流電圧を供給する。また、蓄電装置１０は、動力出力装置３０によって発電された電力をＰＣＵ２０から受けて充電される。さらに、蓄電装置１０は、充電インレット９０に接続される車両外部の電源から供給される電力を受ける充電器９２によって充電される。なお、以下では、車両外部の電源を「外部電源」とも称し、外部電源による蓄電装置１０の充電を「外部充電」とも称する。
【００２１】
ＰＣＵ２０は、ハイブリッド車両１００内で必要となる電力変換器を統括的に示したものである。ＰＣＵ２０は、蓄電装置１０から供給される電圧を昇圧するコンバータや、動力出力装置３０に含まれるモータジェネレータを駆動するインバータ等を含む。
【００２２】
ＥＣＵ１５は、運転状況・車両状況を示す各種センサからの各種センサ出力１７を受ける。各種センサ出力１７には、アクセルペダル３５の踏込み量に応じたアクセル開度や、車輪回転数に応じた車両速度等が含まれる。そして、ＥＣＵ１５は、入力されたこれらのセンサ出力に基づき、ハイブリッド車両１００に関する種々の制御を実行する。
【００２３】
動力出力装置３０は、車輪の駆動力源として設けられ、モータジェネレータＭＧ１，ＭＧ２およびエンジンを含む。これらは、動力分割装置（図示せず）を介して機械的に連結される。そして、ハイブリッド車両１００の走行状況に応じて、動力分割装置を介して上記３者の間で駆動力の配分および結合が行なわれ、その結果として前輪５０Ｌ，５０Ｒが駆動される。ＤＧ４０は、動力出力装置３０から出力される動力を前輪５０Ｌ，５０Ｒへ伝達するとともに、前輪５０Ｌ，５０Ｒから受ける回転力を動力出力装置３０へ伝達する。これにより、動力出力装置３０は、エンジンおよびモータジェネレータによる動力を、ＤＧ４０を介して前輪５０Ｌ，５０Ｒへ伝達して前輪５０Ｌ，５０Ｒを駆動する。また、動力出力装置３０は、前輪５０Ｌ，５０Ｒによるモータジェネレータの回転力を受けて発電し、その発電した電力をＰＣＵ２０へ供給する。
【００２４】
なお、モータジェネレータＭＧ１，ＭＧ２は、発電機としても電動機としても機能し得るが、モータジェネレータＭＧ１が、主として発電機として動作し、モータジェネレータＭＧ２が、主として電動機として動作する。詳細には、モータジェネレータＭＧ１は、動力分割装置によって分配されるエンジンの出力の一部を受けて発電する。また、モータジェネレータＭＧ１は、蓄電装置１０から電力の供給を受けて電動機として動作し、エンジンをクランキングして始動する。
【００２５】
モータジェネレータＭＧ２は、蓄電装置１０に蓄えられた電力およびモータジェネレータＭＧ１の発電した電力の少なくとも一方によって駆動される。そして、モータジェネレータＭＧ２の駆動力は、ＤＧ４０を介して前輪５０Ｌ，５０Ｒの駆動軸へ伝達される。これにより、モータジェネレータＭＧ２は、エンジンをアシストして車両を走行させたり、自己の駆動力のみによって車両を走行させたりする。また、車両の制動時には、モータジェネレータＭＧ２は、前輪５０Ｌ，５０Ｒにより駆動されて発電機として動作する。このとき、モータジェネレータＭＧ２により発電された電力は、ＰＣＵ２０を介して蓄電装置１０に充電される。
【００２６】
そして、ＰＣＵ２０は、ＥＣＵ１５からの制御指示に従って、蓄電装置１０から受ける直流電圧を昇圧するとともに、その昇圧した直流電圧を交流電圧に変換して、動力出力装置３０に含まれるモータジェネレータＭＧ１，ＭＧ２を駆動する。また、ＰＣＵ２０は、モータジェネレータＭＧ１，ＭＧ２の回生動作時には、ＥＣＵ１５からの制御指示に従って、モータジェネレータＭＧ１，ＭＧ２の発電した交流電圧を直流電圧に変換して蓄電装置１０を充電する。
【００２７】
充電インレット９０は、外部電源に接続された充電ケーブル（図示せず）のコネクタを接続可能に構成される。そして、外部充電時、充電インレット９０に接続される外部電源から電力を受け、その受けた電力を充電器９２へ供給する。充電器９２は、充電インレット９０と蓄電装置１０との間に設けられ、充電インレット９０に接続される外部電源から供給される電力を蓄電装置１０の電圧レベルに変換して蓄電装置１０へ出力する。
【００２８】
図２は、図１に示したハイブリッド車両１００の駆動システムの構成を示すブロック図である。図２を参照して、駆動システムは、蓄電装置１０と、ＳＭＲ（System  Main  Relay）１０５，１０６と、ＰＣＵ２０と、モータジェネレータＭＧ１，ＭＧ２と、エンジンＥＮＧと、動力分割装置１０７と、排気管１０８と、触媒装置１０９と、ＥＣＵ１５と、充電インレット９０と、充電器９２とを含む。
【００２９】
モータジェネレータＭＧ１，ＭＧ２は、動力分割装置１０７を介してエンジンＥＮＧおよび図示されない駆動輪（図１の前輪５０Ｌ，５０Ｒ）と連結される。そして、ハイブリッド車両１００は、エンジンＥＮＧおよびモータジェネレータＭＧ２を用いて走行可能であり、モータジェネレータＭＧ１は、エンジンＥＮＧの始動およびエンジンＥＮＧの動力を用いた発電を行なう。
【００３０】
エンジンＥＮＧは、ガソリンや軽油等の化石燃料、またはエタノール等のアルコール燃料の燃焼による熱エネルギーをピストンやロータなどの運動子の運動エネルギーに変換し、その変換された運動エネルギーを動力分割装置１０７へ出力する。たとえば、運動子がピストンであり、その運動が往復運動であれば、いわゆるクランク機構を介して往復運動が回転運動に変換され、ピストンの運動エネルギーが動力分割装置１０７に伝達される。
【００３１】
触媒装置１０９は、エンジンＥＮＧの排気管１０８に設けられ、エンジンＥＮＧから排出される排出ガスを浄化する。触媒装置１０９は、エンジンＥＮＧの排出ガスにより触媒温度が高められて触媒が活性化した時点で、排出ガス中の規制対象成分を十分に浄化することが可能となる。
【００３２】
ＳＭＲ１０５は、蓄電装置１０とＰＣＵ２０との間に設けられ、車両の走行時等にＥＣＵ１５からの指令に応じてオンされる。ＳＭＲ１０６は、蓄電装置１０と充電器９２との間に設けられ、外部充電時にＥＣＵ１５からの指令に応じてオンされる。
【００３３】
ＰＣＵ２０は、コンバータ１１０と、コンデンサ１２０と、モータ駆動制御器１３１，１３２と、コンバータ／インバータ制御部１４０と、エンジン制御部１４２とを含む。この実施の形態では、モータジェネレータＭＧ１，ＭＧ２は交流モータであり、モータ駆動制御器１３１，１３２はインバータによって構成される。以下では、モータ駆動制御器１３１（１３２）を「インバータ１３１（１３２）」とも称する。
【００３４】
コンバータ１１０は、コンバータ／インバータ制御部１４０からの制御信号Ｓｃｎｖに基づいて、正極線１０３および負極線１０２間の電圧Ｖｍを蓄電装置１０の電圧Ｖｂ以上に昇圧する。コンバータ１１０は、たとえば、電流可逆型の昇圧チョッパ回路によって構成される。
【００３５】
インバータ１３１，１３２は、それぞれモータジェネレータＭＧ１，ＭＧ２に対応して設けられる。インバータ１３１，１３２は、互いに並列してコンバータ１１０に接続され、コンバータ／インバータ制御部１４０からの制御信号Ｓｐｗｍ１，Ｓｐｗｍ２に基づいてモータジェネレータＭＧ１，ＭＧ２をそれぞれ駆動する。
【００３６】
コンバータ／インバータ制御部１４０は、ＥＣＵ１５から受ける制御指令値（電圧Ｖｍの目標値やモータジェネレータＭＧ１，ＭＧ２のトルク目標値等）に基づいて、コンバータ１１０およびモータジェネレータＭＧ１，ＭＧ２をそれぞれ駆動するための制御信号Ｓｃｎｖ，Ｓｐｗｍ１，Ｓｐｗｍ２を生成する。そして、コンバータ／インバータ制御部１４０は、その生成された制御信号Ｓｃｎｖ，Ｓｐｗｍ１，Ｓｐｗｍ２をそれぞれコンバータ１１０およびインバータ１３１，１３２へ出力する。
【００３７】
エンジン制御部１４２は、ＥＣＵ１５から受ける制御指令値に基づいて、エンジンＥＮＧの回転速度および出力トルクを算出する。そして、エンジン制御部１４２は、その算出結果に基づいてエンジンＥＮＧを駆動するための制御信号を生成し、その生成された制御信号をエンジンＥＮＧへ出力する。
【００３８】
ＥＣＵ１５は、各種センサ出力１７に基づいて、このハイブリッド車両１００の走行モードの制御や、エンジンＥＮＧの始動／停止判定、蓄電装置１０の充放電制御、触媒装置１０９の暖機制御等の各種制御を行なう。そして、ＥＣＵ１５は、ＰＣＵ２０を駆動するための制御指令値を生成し、その生成した制御指令値をＰＣＵ２０のコンバータ／インバータ制御部１４０およびエンジン制御部１４２へ出力する。また、ＥＣＵ１５は、外部充電時、充電器９２を駆動するための信号を生成し、その生成した信号を充電器９２へ出力する。
【００３９】
図３は、図２に示したＥＣＵ１５の機能ブロック図である。図３を参照して、ＥＣＵ１５は、ＳＯＣ算出部１５０と、走行モード制御部１５２と、Ｗｏｕｔ制御部１５４と、エンジン始動／停止判定部１５６とを含む。また、ＥＣＵ１５は、指令生成部１５８と、充電制御部１６０と、レート処理部１６２と、一時拡大処理部１６４と、触媒暖機制御部１６６とをさらに含む。
【００４０】
ＳＯＣ算出部１５０は、図示されないセンサによって検出される蓄電装置１０の電圧Ｖｂおよび電流Ｉｂに基づいて、蓄電装置１０の充電状態を示すＳＯＣを算出する。このＳＯＣは、蓄電装置１０の満充電状態に対する蓄電量を０〜１００％で表わしたものであり、蓄電装置１０の蓄電残量を示す。なお、ＳＯＣの算出方法については、種々の公知の手法を用いることができる。
【００４１】
走行モード制御部１５２は、ＳＯＣ算出部１５０によって算出されたＳＯＣに基づいて、車両の走行モードの切替を制御する。具体的には、走行モード制御部１５２は、エンジンＥＮＧを停止してモータジェネレータＭＧ２のみを用いての走行を優先させるＣＤモードとするか、それともエンジンＥＮＧを動作させて蓄電装置１０のＳＯＣを所定の目標に維持するＣＳモードとするかの切替を制御する。
【００４２】
なお、ＣＤモードでも、運転者によりアクセルペダルが大きく踏込まれたり、エンジン駆動タイプのエアコン動作時やエンジン暖機時、触媒装置１０９の暖機時などは、エンジンＥＮＧの動作が許容される。このＣＤモードは、蓄電装置１０のＳＯＣを維持することなく、基本的に蓄電装置１０に蓄えられた電力をエネルギー源として車両を走行させる走行モードである。このＣＤモードの間は、結果的に充電よりも放電の割合の方が相対的に大きくなることが多い。一方、ＣＳモードは、蓄電装置１０のＳＯＣを所定の目標に維持するために、必要に応じてエンジンＥＮＧを動作させてモータジェネレータＭＧ１により発電を行なう走行モードであり、エンジンＥＮＧを常時動作させての走行に限定されるものではない。
【００４３】
すなわち、走行モードがＣＤモードであっても、アクセルペダルが大きく踏込まれて大きな車両パワーが要求されればエンジンＥＮＧは動作する。また、走行モードがＣＳモードであっても、ＳＯＣが目標値を上回っていればエンジンＥＮＧは停止する。そこで、走行モードに拘わらず、エンジンＥＮＧを停止してモータジェネレータＭＧ２のみを用いての走行を「ＥＶ走行」と称し、エンジンＥＮＧを動作させてモータジェネレータＭＧ２およびエンジンＥＮＧを用いての走行を「ＨＶ走行」と称する。
【００４４】
図４は、蓄電装置１０のＳＯＣの変化と走行モードとの関係を示した図である。図４を参照して、外部充電により蓄電装置１０が満充電状態となった後（ＳＯＣ＝ＭＡＸ）、走行が開始されるものとする。外部充電後、走行モードはＣＤモードに設定される。ＣＤモードでの走行中は、車両の減速時等に回収される回生電力により一時的にＳＯＣが増加することがあるものの、全体としては走行距離の増加に伴ないＳＯＣは減少する。そして、時刻ｔ１においてＳＯＣがしきい値Ｓｔｈに達すると、走行モードがＣＳモードへ切替わり、しきい値Ｓｔｈの近傍にＳＯＣが制御される。
【００４５】
再び図３を参照して、走行モード制御部１５２は、外部充電の終了を示す充電終了信号ＣＧＥＮＤを充電制御部１６０から受けると、上述のように走行モードをＣＤモードに設定する。そして、走行モード制御部１５２は、走行モードがＣＤモードかＣＳモードかを示すモード信号ＭＤをＷｏｕｔ制御部１５４、エンジン始動／停止判定部１５６および指令生成部１５８へ出力する。
【００４６】
Ｗｏｕｔ制御部１５４は、ＳＯＣ算出部１５０から蓄電装置１０のＳＯＣを受け、走行モードを示すモード信号ＭＤを走行モード制御部１５２から受ける。また、Ｗｏｕｔ制御部１５４は、エンジンＥＮＧが動作しているか停止しているかを示すエンジンモード信号ＥＧＭＤをエンジン始動／停止判定部１５６から受ける。さらに、Ｗｏｕｔ制御部１５４は、触媒装置１０９（図２）の暖機中か否かを示す暖機信号ＣＷを触媒暖機制御部１６６から受ける。そして、Ｗｏｕｔ制御部１５４は、これらの各信号に基づいて、蓄電装置１０が放電可能な電力（Ｗ）を示す放電許容電力Ｗｏｕｔを算出する。
【００４７】
図５は、蓄電装置１０の放電許容電力Ｗｏｕｔを示した図である。図５を参照して、放電許容電力Ｗｏｕｔは、蓄電装置１０が出力可能な電力（Ｗ）の最大値である。蓄電装置１０のＳＯＣが低下すると、過放電防止のために放電許容電力Ｗｏｕｔは制限される。
【００４８】
この実施の形態では、後述するように、車両の走行モード、エンジンＥＮＧの動作／停止および触媒装置１０９の暖機中か否かに基づいて放電許容電力Ｗｏｕｔが変更される。具体的には、走行モードがＣＤモードであり、かつ、エンジンＥＮＧが動作しているとき、または走行モードがＣＳモードのときは、放電許容電力Ｗｏｕｔはデフォルト値のＷ０に設定される。一方、走行モードがＣＤモードであり、かつ、エンジンＥＮＧが停止しているときは、放電許容電力ＷｏｕｔがＷ０から予め定められたＷ１に拡大される。また、走行モードがＣＤモードであり、かつ、エンジンＥＮＧが動作しているとき、または走行モードがＣＳモードのときであっても、触媒装置１０９の暖機中のときは、放電許容電力ＷｏｕｔがＷ０からＷ１に拡大される。
【００４９】
なお、充電許容電力Ｗｉｎは、蓄電装置１０へ入力可能な電力（Ｗ）の最大値である。充電許容電力Ｗｉｎについては、蓄電装置１０のＳＯＣが高くなると、過充電防止のために充電許容電力Ｗｉｎが制限される。
【００５０】
再び図３を参照して、Ｗｏｕｔ制御部１５４は、予め準備されるマップ等を用いて、蓄電装置１０のＳＯＣや温度等に基づいて放電許容電力Ｗｏｕｔ（デフォルト値Ｗ０）を算出する。そして、Ｗｏｕｔ制御部１５４は、走行モード制御部１５２から受けるモード信号ＭＤによって示される走行モード、エンジン始動／停止判定部１５６から受けるエンジンモード信号ＥＧＭＤ信号によって示されるエンジンＥＮＧの動作／停止、および触媒暖機制御部１０６から受ける暖機信号ＣＷによって示される触媒装置１０９の暖機中か否かに基づいて、放電許容電力Ｗｏｕｔを変更する。
【００５１】
すなわち、図６に示すように、触媒装置１０９の暖機中でないときは、走行モードがＣＤモードであって、かつ、エンジンＥＮＧが停止しているとき、Ｗｏｕｔ制御部１５４は、放電許容電力ＷｏｕｔをＷ０から予め定められたＷ１に拡大する（図５）。一方、走行モードがＣＤモードであって、かつ、エンジンＥＮＧが動作しているとき、または、走行モードがＣＳモードのとき、Ｗｏｕｔ制御部１５４は、放電許容電力Ｗｏｕｔの拡大を行なわない。
【００５２】
走行モードがＣＤモードであって、かつ、エンジンＥＮＧが停止しているときに放電許容電力Ｗｏｕｔを拡大するのは、エンジンＥＮＧの始動頻度をできる限り減らし、ＥＶ走行を拡充するためである。すなわち、上述のように、走行モードがＣＤモードであっても、アクセルペダルが踏込まれて車両要求パワーが放電許容電力Ｗｏｕｔを超えると、要求パワーを満たすためにエンジンＥＮＧが始動してＥＶ走行からＨＶ走行に切替わる。
【００５３】
しかしながら、アクセルペダルを踏込むことによって頻繁にエンジンＥＮＧが始動していては、運転者は十分なＥＶ走行感を得ることができない。そこで、この実施の形態では、走行モードがＣＤモードであって、かつ、エンジンＥＮＧが停止しているときに放電許容電力Ｗｏｕｔを拡大し、エンジンＥＮＧが始動する頻度を抑制することによってＥＶ走行感を高めることとしたものである。
【００５４】
一方、この実施の形態では、放電許容電力Ｗｏｕｔを常時拡大するのではなく、走行モードがＣＤモードであって、かつ、エンジンＥＮＧが動作しているとき、または、走行モードがＣＳモードのときは、放電許容電力Ｗｏｕｔの拡大を行なわない。このようにしたのは、電気部品（主にコンバータ１１０）の熱負荷の増加を抑えるとともに、エンジン動作時およびＣＳモードでの走行時における車両の加速特性を本実施の形態の適用前後で変えないようにするためである。
【００５５】
ここで、触媒装置１０９の暖機中のときは、図７に示すように、走行モードがＣＤモードであって、かつ、エンジンＥＮＧが動作しているとき、または、走行モードがＣＳモードのときにおいても、Ｗｏｕｔ制御部１５４は、放電許容電力ＷｏｕｔをＷ０からＷ１に拡大する。
【００５６】
このようにするのは、触媒装置１０９の暖機が中断されるのを防止するためである。すなわち、走行モードがＣＤモードであって、かつ、エンジンＥＮＧが停止しているとき、すなわち、放電許容電力Ｗｏｕｔが拡大されているときに、ＨＶ走行に備えて触媒装置１０９の暖機が開始されると、触媒装置１０９の暖機のためにエンジンＥＮＧが始動することによって放電許容電力ＷｏｕｔがＷ１からＷ０に復帰する。このとき、車両要求パワーが放電許容電力Ｗｏｕｔ（Ｗ０）よりも大きいと、触媒装置１０９の暖機が中断され、触媒装置１０９が暖機されていない状態でＨＶ走行が開始されてしまうこととなる。そこで、この実施の形態では、走行モードがＣＤモードであって、かつ、エンジンＥＮＧが動作しているとき、または、走行モードがＣＳモードのときであっても、触媒装置１０９の暖機中のときは、放電許容電力Ｗｏｕｔを拡大して触媒装置１０９の暖機が中断されるのを防止することとしたものである。
【００５７】
再び図３を参照して、Ｗｏｕｔ制御部１５４は、走行モード、エンジンＥＮＧの動作／停止および触媒装置１０９の暖機中か否かに基づいて上記の変更処理が行なわれた放電許容電力Ｗｏｕｔをエンジン始動／停止判定部１５６および指令生成部１５８へ出力する。また、Ｗｏｕｔ制御部１５４は、放電許容電力Ｗｏｕｔが拡大されているとき、放電許容電力Ｗｏｕｔが拡大されていることを一時拡大処理部１６４（後述）へ通知する。
【００５８】
エンジン始動／停止判定部１５６は、Ｗｏｕｔ制御部１５４から放電許容電力Ｗｏｕｔを受ける。また、エンジン始動／停止判定部１５６は、走行モードを示すモード信号ＭＤを走行モード制御部１５２から受ける。そして、エンジン始動／停止判定部１５６は、走行モードおよび放電許容電力Ｗｏｕｔに基づいて、エンジンＥＮＧの始動判定および停止判定を行なう。
【００５９】
具体的には、エンジン始動／停止判定部１５６は、各種センサ出力１７（図１）として受けるアクセル開度ＡＣＣや車両速度ＳＰＤ等に基づいて車両要求パワーを算出する。そして、図８に示すように、走行モードがＣＤモードのとき、エンジン始動／停止判定部１５６は、拡大された放電許容電力Ｗｏｕｔ（図５のＷ１）に基づいてモータジェネレータＭＧ２が出力可能な最大パワーを算出し、その算出された最大パワーと車両要求パワーとの比較結果に基づいて、エンジンＥＮＧの始動判定および停止判定を行なう。
【００６０】
すなわち、上述のように、走行モードがＣＤモードのとき、エンジンＥＮＧの動作中は、放電許容電力Ｗｏｕｔは非拡大（デフォルト値Ｗ０）であるところ（図６）、エンジンＥＮＧの停止判定には、拡大された放電許容電力Ｗｏｕｔ（Ｗ１）が用いられる。これにより、ＣＤモード時にエンジンＥＮＧが始動した後においてはエンジンＥＮＧを停止しやすくし、ＥＶ走行感をさらに高めることができる。
【００６１】
なお、走行モードがＣＳモードのときは、エンジン始動／停止判定部１５６は、非拡大の放電許容電力Ｗｏｕｔ（Ｗ０）に基づいてモータジェネレータＭＧ２の最大パワーを算出し、その算出された最大パワーと車両要求パワーとの比較結果に基づいて、エンジンＥＮＧの始動判定および停止判定を行なう。
【００６２】
再び図３を参照して、指令生成部１５８は、走行モード、放電許容電力ＷｏｕｔおよびエンジンＥＮＧの動作／停止を示すエンジンモードに基づいて、ＰＣＵ２０を駆動するための制御指令値（たとえば、電圧Ｖｍの目標値やモータジェネレータＭＧ１，ＭＧ２のトルク目標値等）を生成する。そして、指令生成部１５８は、その生成した制御指令値をＰＣＵ２０のコンバータ／インバータ制御部１４０（図２）へ出力する。
【００６３】
充電制御部１６０は、充電インレット９０（図２）に外部電源が接続されると、図示されないセンサによって検出される入力電圧Ｖａｃおよび入力電流Ｉａｃに基づいて、充電器９２を駆動するための制御信号を生成し、充電器９２へ出力する。そして、充電制御部１６０は、ＳＯＣ算出部１５０から受ける蓄電装置１０のＳＯＣが所定の上限値に達すると、充電制御を終了するとともに充電終了を示す充電終了信号ＣＧＥＮＤを走行モード制御部１５２へ出力する。これにより、上述のように、走行モード制御部１５２において走行モードがＣＤモードに設定される。
【００６４】
レート処理部１６２は、Ｗｏｕｔ制御部１５４において放電許容電力ＷｏｕｔがＷ０からＷ１へ拡大されるとき、および放電許容電力ＷｏｕｔがＷ１からＷ０へ復帰するとき、放電許容電力Ｗｏｕｔの変化にレート処理を施す。ここで、レート処理部１６２は、放電許容電力ＷｏｕｔがＷ１からＷ０へ復帰するときの変化レートを、放電許容電力ＷｏｕｔがＷ０からＷ１へ拡大するときの変化レートよりも小さくする。これにより、電力制御の追従遅れにより蓄電装置１０の放電電力が放電許容電力Ｗｏｕｔを超えるのを抑える。
【００６５】
言い換えると、レート処理部１６２は、放電許容電力ＷｏｕｔがＷ０からＷ１へ拡大するときの変化レートを、放電許容電力ＷｏｕｔがＷ１からＷ０へ復帰するときの変化レートよりも大きくする。これにより、ＣＤモード時にＨＶ走行からＥＶ走行へ切替わるときの出力不足による車両のもたつきを防止する。
【００６６】
一時拡大処理部１６４は、モータジェネレータＭＧ１によるエンジンＥＮＧのクランキング時など一時的に大電力が必要とされるとき、蓄電装置１０の放電許容電力Ｗｏｕｔを一時的に拡大する。ここで、一時拡大処理部１６４は、放電許容電力Ｗｏｕｔが拡大中であることを示す通知をＷｏｕｔ制御部１５４から受けているときは、放電許容電力Ｗｏｕｔの一時拡大処理を非実行とする。Ｗｏｕｔ制御部１５４によって放電許容電力Ｗｏｕｔが既に拡大されているので、一時拡大処理部１６４による拡大処理を不要としたものである。
【００６７】
なお、Ｗｏｕｔ制御部１５４において、放電許容電力Ｗｏｕｔの変更中（Ｗ０からＷ１への拡大時およびＷ１からＷ０への復帰時）にエンジンＥＮＧが始動されるとき、エンジンＥＮＧの始動中は放電許容電力Ｗｏｕｔを固定するのが望ましい。あるいは、走行モードの切替時（ＣＤモードからＣＳモードへの切替時およびＣＳモードからＣＤモードへの切替時）にエンジンＥＮＧが始動されるとき、エンジンＥＮＧの始動中は放電許容電力Ｗｏｕｔを固定するのが望ましい。放電許容電力Ｗｏｕｔの値については、一例として、エンジンＥＮＧの始動が開始されたときの値に固定される。これにより、エンジンＥＮＧの始動時に蓄電装置１０から出力される電力が安定するので、エンジン始動処理が安定化する。
【００６８】
触媒暖機制御部１６６は、エンジンＥＮＧを始動するとの判定結果をエンジン始動／停止判定部１５６から受けると、触媒装置１０９の暖機が行なわれていない場合には、触媒装置１０９の暖機の実行を指示する指令をエンジン制御部１４２へ出力する。そして、触媒暖機制御部１６６は、触媒装置１０９の暖機中、Ｗｏｕｔ制御部１５４へ出力される暖機信号ＣＷを活性化する。
【００６９】
図９は、放電許容電力Ｗｏｕｔの制御に関する一連の処理手順を説明するためのフローチャートである。図９を参照して、ＥＣＵ１５は、予め準備されるマップ等を用いて、放電許容電力Ｗｏｕｔ（デフォルト値Ｗ０）を算出する（ステップＳ１０）。
【００７０】
次いで、ＥＣＵ１５は、走行モードがＣＤモードであって、かつ、エンジンＥＮＧが停止しているか否かを判定する（ステップＳ２０）。走行モードがＣＤモードでない（すなわちＣＳモード）、または、エンジンＥＮＧが動作していると判定されると（ステップＳ２０においてＮＯ）、ＥＣＵ１５は、触媒装置１０９の暖機中か否かを判定する（ステップＳ２５）。触媒装置１０９の暖機中でないと判定されると（ステップＳ２５においてＮＯ）、ＥＣＵ１５は、後述のステップＳ７０へ処理を移行する。
【００７１】
ステップＳ２０において、走行モードがＣＤモードであって、かつ、エンジンＥＮＧが停止していると判定されるか（ステップＳ２０においてＹＥＳ）、またはステップＳ２５において触媒装置１０９の暖機中であると判定されると（ステップＳ２５においてＹＥＳ）、ＥＣＵ１５は、図５に示したように、放電許容電力ＷｏｕｔをＷ０から予め定められたＷ１へ拡大する（ステップＳ３０）。
【００７２】
ここで、放電許容電力Ｗｏｕｔが変更されるとき、ＥＣＵ１５は、放電許容電力Ｗｏｕｔの変化レートを制限するレートリミット処理を実行する（ステップＳ４０）。さらにここで、ＥＣＵ１５は、放電許容電力Ｗｏｕｔの変更中にエンジンＥＮＧの始動が要求されたか否かを判定する（ステップＳ５０）。そして、放電許容電力Ｗｏｕｔの変更中にエンジンＥＮＧの始動が要求されたと判定されると（ステップＳ５０においてＹＥＳ）、ＥＣＵ１５は、放電許容電力Ｗｏｕｔを固定する（ステップＳ６０）。一例として、エンジンＥＮＧの始動が要求されたときの値に放電許容電力Ｗｏｕｔが固定される。
【００７３】
次いで、ＥＣＵ１５は、Ｗｏｕｔ制限処理を行なう（ステップＳ７０）。一例として、図５に示したように、蓄電装置１０のＳＯＣが低くなると、放電許容電力Ｗｏｕｔが制限される。あるいは、コンバータ１１０の温度が上昇したとき等も、放電許容電力Ｗｏｕｔを制限してもよい。
【００７４】
続いて、ＥＣＵ１５は、エンジンＥＮＧの始動が要求されたか否かを判定する（ステップＳ８０）。エンジンＥＮＧの始動が要求されたと判定されると（ステップＳ８０においてＹＥＳ）、ＥＣＵ１５は、放電許容電力Ｗｏｕｔが拡大中であるか否かをさらに判定する（ステップＳ９０）。そして、放電許容電力Ｗｏｕｔは拡大中でないと判定されると（ステップＳ９０においてＹＥＳ）、ＥＣＵ１５は、放電許容電力Ｗｏｕｔの一時拡大処理を実行する（ステップＳ１００）。
【００７５】
すなわち、ステップＳ９０において放電許容電力Ｗｏｕｔが拡大中であると判定されると（ステップＳ９０においてＹＥＳ）、放電許容電力Ｗｏｕｔが既に拡大されていることから一時拡大処理は不要であると判定され、ステップＳ１００を実行することなくステップＳ１１０へ処理が移行される。
【００７６】
図１０は、触媒装置１０９の暖機制御に関する処理手順を説明するためのフローチャートである。図１０を参照して、ＥＣＵ１５は、蓄電装置１０（図２）のＳＯＣに基づいて、ＣＤモードからＣＳモードへ走行モードを切替えるか否かを判定する（ステップＳ２１０）。ＣＤモードからＣＳモードへ走行モードを切替えるものと判定されると（ステップＳ２１０においてＹＥＳ）、ＥＣＵ１５は、触媒装置１０９の暖機が既に実行されたか否かを判定する（ステップＳ２２０）。
【００７７】
触媒装置１０９の暖機は実行済みであると判定されると（ステップＳ２２０においてＮＯ）、ＥＣＵ１５は、以降の処理を実行することなくステップＳ２８０へ処理を移行する。一方、ステップＳ２２０において触媒装置１０９の暖機が未実行であると判定されると（ステップＳ２２０においてＹＥＳ）、ＥＣＵ１５は、触媒装置１０９の暖機のためにエンジンＥＮＧを始動して触媒装置１０９の暖機を実行する（ステップＳ２３０）。
【００７８】
ここで、この触媒装置１０９の暖機が実行される前は、走行モードがＣＤモードであり、かつ、エンジンＥＮＧは停止しているので、蓄電装置１０の放電許容電力ＷｏｕｔはＷ１に拡大されている。そして、触媒装置１０９の暖機の開始に伴ないエンジンＥＮＧが始動するところ、上述のように、ＥＣＵ１５は、触媒装置１０９の暖機中は、放電許容電力Ｗｏｕｔの拡大を維持する。そして、触媒装置１０９の暖機が終了すると（ステップＳ２４０においてＹＥＳ）、ＥＣＵ１５は、放電許容電力ＷｏｕｔをＷ１から非拡大状態のＷ０に復帰させる（ステップＳ２５０）。
【００７９】
一方、ステップＳ２１０において、ＣＤモードからＣＳモードへの切替はないと判定されると（ステップＳ２１０においてＮＯ）、ＥＣＵ１５は、現在の走行モードがＣＤモードか否かを判定する（ステップＳ２６０）。走行モードがＣＤモードであると判定されると（ステップＳ２６０においてＹＥＳ）、ＥＣＵ１５は、エンジンＥＮＧの始動が要求されたか否かを判定する（ステップＳ２７０）。そして、エンジンＥＮＧの始動が要求されたと判定されると（ステップＳ２７０においてＹＥＳ）、ＥＣＵ１５は、ステップＳ２２０へ処理を移行する。
【００８０】
すなわち、走行モードがＣＤモードのときにエンジンＥＮＧの始動が要求されると、触媒装置１０９の暖機が未実行であれば、ステップＳ２３０において触媒装置１０９の暖機が実行される。ここで、この場合も、触媒装置１０９の暖機が実行される前は、走行モードがＣＤモードであり、かつ、エンジンＥＮＧは停止しているので、蓄電装置１０の放電許容電力ＷｏｕｔはＷ１に拡大されており、ＥＣＵ１５は、放電許容電力Ｗｏｕｔの拡大を維持しつつ触媒装置１０９の暖機を実行する。
【００８１】
なお、ステップＳ２６０において走行モードがＣＳモードであると判定されるか（ステップＳ２６０においてＮＯ）、または、ステップＳ２７０においてエンジンＥＮＧの始動要求は無いと判定されると（ステップＳ２７０においてＮＯ）、ＥＣＵ１５は、ステップＳ２８０へ処理を移行する。
【００８２】
図１１は、ＣＤモード時にエンジンＥＮＧが始動するときの放電許容電力Ｗｏｕｔの変化を示した図である。図１１を参照して、エンジンモードの「ＥＶ」は、エンジンＥＮＧを停止してのＥＶ走行であることを示し、「ＨＶ」は、エンジンＥＮＧが動作したＨＶ走行であることを示す。
【００８３】
時刻ｔ１前は、エンジンＥＮＧは停止しており（エンジンモード「ＥＶ」）、放電許容電力Ｗｏｕｔは、Ｗ１に拡大されている。時刻ｔ１において、エンジンＥＮＧが始動し、触媒装置１０９の暖機が開始される（触媒装置１０９の暖機が未実行だったものとする。）。触媒装置１０９の暖機が終了する時刻ｔ２までは、エンジンＥＮＧは動作しているけれども触媒装置１０９の暖機中であるので、放電許容電力ＷｏｕｔはＷ１に維持される。そして、時刻ｔ２において、触媒装置１０９の暖機が終了すると、放電許容電力Ｗｏｕｔは、Ｗ１から非拡大状態のＷ０に復帰する。
【００８４】
図１２は、走行モードがＣＤモードからＣＳモードに切替わるときの放電許容電力Ｗｏｕｔの変化を示した図である。図１２を参照して、時刻ｔ３前は、走行モードがＣＤモードであり、エンジンＥＮＧは停止しているものとする（ＥＶ走行）。したがって、放電許容電力Ｗｏｕｔは、Ｗ１に拡大されている。
【００８５】
時刻ｔ１１において、蓄電装置１０のＳＯＣがしきい値Ｓｔｈに達すると、走行モードがＣＳモードに切替わる（図４）。そうすると、エンジンＥＮＧが始動し、触媒装置１０９の暖機が開始される（触媒装置１０９の暖機が未実行だったものとする。）。触媒装置１０９の暖機が終了する時刻ｔ４までは、エンジンＥＮＧは動作しているが触媒装置１０９の暖機中であるので、放電許容電力ＷｏｕｔはＷ１に維持される。そして、時刻ｔ４において、触媒装置１０９の暖機が終了すると、放電許容電力Ｗｏｕｔは、Ｗ１からＷ０に復帰する。
【００８６】
以上のように、この実施の形態においては、走行モードがＣＤモードであり、かつ、エンジンＥＮＧが停止している場合において、走行モードがＣＤモードであり、かつ、エンジンＥＮＧが動作しているとき、または、走行モードがＣＳモードのときよりも放電許容電力Ｗｏｕｔが拡大される。これにより、ＥＶ走行中の走行パワーを確保し、かつ、エンジンＥＮＧの動作時およびＣＳモード時においては電気部品への熱負荷の増加を抑えることができる。したがって、この実施の形態によれば、電気部品に対する熱負荷に配慮しつつＥＶ走行を拡大することができる。
【００８７】
そして、この実施の形態においては、走行モードがＣＤモードであり、かつ、エンジンＥＮＧが動作しているとき、または、走行モードがＣＳモードのときであっても、触媒装置１０９の暖機中のときは、走行モードがＣＤモードであり、かつ、エンジンＥＮＧが停止しているときと同様に放電許容電力Ｗｏｕｔが拡大される。これにより、放電許容電力Ｗｏｕｔが非拡大状態に復帰することによって触媒装置１０９の暖機が中断されてしまうことはない。したがって、この実施の形態によれば、ＥＶ走行を拡大し、かつ、触媒装置１０９の暖機が中断されるのを防止することができる。
【００８８】
また、この実施の形態においては、外部充電用の充電インレット９０および充電器９２が設けられ、外部充電後は走行モードがＣＤモードに設定される。したがって、この実施の形態によれば、外部充電による電力を用いたＥＶ走行の拡大を図ることができる。
【００８９】
なお、上記の実施の形態においては、蓄電装置１０およびコンバータ１１０が１つずつ設けられる構成としたが、蓄電装置およびコンバータが複数設けられた電気システム（たとえば、複数の蓄電装置と、互いに並列に接続される複数のコンバータとを備える電気システム等）に対しても、本発明を適用可能である。
【００９０】
また、上記においては、充電インレット９０に外部電源を接続して外部充電を行なうものとしたが、共鳴法や電磁誘導等の非接触による給電手法を用いて外部充電を行なってもよい。
【００９１】
なお、上記において、エンジンＥＮＧは、この発明における「内燃機関」の一実施例に対応し、モータジェネレータＭＧ２は、この発明における「電動機」の一実施例に対応する。また、Ｗｏｕｔ制御部１５４は、この発明における「放電許容電力制御部」の一実施例に対応し、充電インレット９０および充電器９２は、この発明における「充電装置」の一実施例を形成する。
【００９２】
今回開示された実施の形態は、すべての点で例示であって制限的なものではないと考えられるべきである。本発明の範囲は、上記した実施の形態の説明ではなくて請求の範囲によって示され、請求の範囲と均等の意味および範囲内でのすべての変更が含まれることが意図される。
【符号の説明】
【００９３】
１０  蓄電装置、１５  ＥＣＵ、１７  各種センサ出力、２０  ＰＣＵ、３０  動力出力装置、３５  アクセルペダル、４０  ＤＧ、５０Ｌ，５０Ｒ  前輪、６０Ｌ，６０Ｒ  後輪、７０Ｌ，７０Ｒ  フロントシート、８０  リアシート、９０  充電インレット、９２  充電器、１００  ハイブリッド車両、１０５，１０６  ＳＭＲ、１０７  動力分割装置、１０８  排気管、１０９  触媒装置、１１０  コンバータ、１２０  コンデンサ、１３１，１３２  インバータ、１４０  コンバータ／インバータ制御部、１４２  エンジン制御部、１５０  ＳＯＣ算出部、１５２  走行モード制御部、１５４  Ｗｏｕｔ制御部、１５６  エンジン始動／停止判定部、１５８  指令生成部、１６０  充電制御部、１６２  レート処理部、１６４  一時拡大処理部、１６６  触媒暖機制御部、ＭＧ１，ＭＧ２  モータジェネレータ、ＥＮＧ  エンジン。
【図１】
2011125186.tif 000003
【図２】
2011125186.tif 000004
【図３】
2011125186.tif 000005
【図４】
2011125186.tif 000006
【図５】
2011125186.tif 000007
【図６】
2011125186.tif 000008
【図７】
2011125186.tif 000009
【図８】
2011125186.tif 000010
【図９】
2011125186.tif 000011
【図１０】
2011125186.tif 000012
【図１１】
2011125186.tif 000013
【図１２】
2011125186.tif 000014
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
ハイブリッド車両の制御装置であって、
前記ハイブリッド車両は、
車両駆動力を発生する内燃機関と、
充放電可能な蓄電装置と、
前記蓄電装置から電力の供給を受けて車両駆動力を発生する電動機と、
前記内燃機関の排出ガスを触媒により浄化する触媒装置とを含み、
前記制御装置は、
前記蓄電装置の充電状態を示す状態量を維持するためには前記内燃機関が動作されない第１のモードと、前記内燃機関が動作または停止される走行モードであって前記状態量を維持するために前記内燃機関が動作される第２のモードとを含む走行モードの切替を制御する走行モード制御部と、
前記走行モードが前記第１のモードであり、かつ、前記内燃機関が停止しているときは、前記走行モードが前記第１のモードであり、かつ、前記内燃機関が動作しているとき、または、前記走行モードが前記第２のモードのときよりも、前記蓄電装置が放電可能な放電許容電力を拡大する放電許容電力制御部とを備え、
前記放電許容電力制御部は、前記走行モードが前記第１のモードであり、かつ、前記内燃機関が動作しているとき、または、前記走行モードが前記第２のモードのときであっても、前記触媒装置の暖機中のときは、前記触媒装置の暖機中でないときよりも前記放電許容電力を拡大する、ハイブリッド車両の制御装置。
【請求項２】
ハイブリッド車両の制御装置であって、
前記ハイブリッド車両は、
車両駆動力を発生する内燃機関と、
充放電可能な蓄電装置と、
前記蓄電装置から電力の供給を受けて車両駆動力を発生する電動機と、
前記内燃機関の排出ガスを触媒により浄化する触媒装置とを含み、
前記制御装置は、
前記蓄電装置の充電状態を示す状態量が所定のしきい値に低下するまでは、走行モードを前記状態量を維持することなく走行する第１のモードとし、前記状態量が前記所定のしきい値に達すると、前記状態量を維持して走行する第２のモードに前記走行モードを切替える走行モード制御部と、
前記走行モードが前記第１のモードであり、かつ、前記内燃機関が停止しているときは、前記走行モードが前記第１のモードであり、かつ、前記内燃機関が動作しているとき、または、前記走行モードが前記第２のモードのときよりも、前記蓄電装置が放電可能な放電許容電力を拡大する放電許容電力制御部とを備え、
前記放電許容電力制御部は、前記走行モードが前記第１のモードであり、かつ、前記内燃機関が動作しているとき、または、前記走行モードが前記第２のモードのときであっても、前記触媒装置の暖機中のときは、前記触媒装置の暖機中でないときよりも前記放電許容電力を拡大する、ハイブリッド車両の制御装置。
【請求項３】
ハイブリッド車両の制御装置であって、
前記ハイブリッド車両は、
車両駆動力を発生する内燃機関と、
充放電可能な蓄電装置と、
前記蓄電装置から電力の供給を受けて車両駆動力を発生する電動機と、
前記内燃機関の排出ガスを触媒により浄化する触媒装置とを含み、
前記制御装置は、
少なくとも前記電動機を駆動力源として走行するとともに前記蓄電装置の充電状態を示す状態量が走行距離の増加に伴ない減少する第１のモードと、前記内燃機関が動作または停止される走行モードであって前記内燃機関および前記電動機の少なくとも一方を駆動力源として走行するとともに前記状態量が維持される第２のモードとを含む走行モードの切替を制御する走行モード制御部と、
前記走行モードが前記第１のモードであり、かつ、前記内燃機関が停止しているときは、前記走行モードが前記第１のモードであり、かつ、前記内燃機関が動作しているとき、または、前記走行モードが前記第２のモードのときよりも、前記蓄電装置が放電可能な放電許容電力を拡大する放電許容電力制御部とを備え、
前記放電許容電力制御部は、前記走行モードが前記第１のモードであり、かつ、前記内燃機関が動作しているとき、または、前記走行モードが前記第２のモードのときであっても、前記触媒装置の暖機中のときは、前記触媒装置の暖機中でないときよりも前記放電許容電力を拡大する、ハイブリッド車両の制御装置。
【請求項４】
前記走行モードが前記第１のモードであり、かつ、前記内燃機関が停止している場合に、前記放電許容電力が拡大されているとき、前記放電許容電力制御部は、前記触媒装置の暖機中であれば、前記内燃機関が動作されても前記拡大された放電許容電力を低下させない、請求項１から３のいずれかに記載のハイブリッド車両の制御装置。
【請求項５】
前記走行モードが前記第１のモードであり、かつ、前記内燃機関が停止している場合に、前記放電許容電力が拡大されているとき、前記放電許容電力制御部は、前記触媒装置の暖機中であれば、前記内燃機関が動作されても前記拡大された放電許容電力を低下させず、その後、前記内燃機関の動作継続中に前記触媒装置の暖機が終了すると、前記拡大された放電許容電力を低下させる、請求項４に記載のハイブリッド車両の制御装置。
【請求項６】
前記走行モードが前記第１のモードであり、かつ、前記内燃機関が停止している場合に、前記放電許容電力が拡大されているとき、前記放電許容電力制御部は、前記触媒装置の暖機中であれば、前記内燃機関が動作されても前記拡大された放電許容電力を低下させず、前記触媒装置の暖機中でなければ、前記内燃機関が動作されると前記拡大された放電許容電力を低下させる、請求項４に記載のハイブリッド車両の制御装置。
【請求項７】
前記走行モードが前記第１のモードから前記第２のモードに切替わると、前記触媒装置の暖機が開始される、請求項５または６に記載のハイブリッド車両の制御装置。
【請求項８】
前記触媒装置の暖機中は、前記触媒装置の温度が所定温度未満であり、前記触媒装置の暖機終了後は、前記触媒装置の温度が所定温度以上である、請求項５または６に記載のハイブリッド車両の制御装置。
【請求項９】
前記ハイブリッド車両は、車両外部の電源から電力の供給を受けて前記蓄電装置を充電するように構成された充電装置をさらに含み、
前記走行モード制御部は、前記充電装置による前記蓄電装置の充電後、前記走行モードを前記第１のモードに設定する、請求項１から３のいずれかに記載のハイブリッド車両の制御装置。
【請求項１０】
請求項１から３のいずれかに記載の制御装置を備えるハイブリッド車両。
【国際調査報告】
2011125186.tif 000015
2011125186.tif 000016